(57)【要約】【課題】箱体の内部圧力の低下後に開口部を塞ぎ、アーク遮断後に発生し続ける煙や粉塵などの放出を防止する。【解決手段】箱体１を構成する天井板２と、天井板２に設けられた開口部３と、開口部３を塞ぐように設けられた放圧板４と、放圧板４に固定されるとともに、天井板２に設けられた貫通孔１２を移動自在に貫通する貫通ピン１０と、箱体１内の貫通ピン１０端部に固定されたストッパー１３とを備え、内部圧力上昇時には放圧板４を上昇させて開口部３を開放し、圧力低下時には放圧板４で開口３部を再度閉じることを特徴とする。【選択図】  図１
2015015833.tif 000002
【特許請求の範囲】
【請求項１】
箱体を構成する天井板と、
前記天井板に設けられた開口部と、
前記開口部を塞ぐように設けられた放圧板と、
前記放圧板に固定されるとともに、前記天井板に設けられた貫通孔を移動自在に貫通する貫通ピンと、
前記箱体内の前記貫通ピン端部に固定されたストッパーと、
を備えたことを特徴とする金属閉鎖形スイッチギヤの放圧装置。
【請求項２】
前記貫通ピンを前記放圧板の四隅に固定したことを特徴とする請求項１に記載の金属閉鎖形スイッチギヤの放圧装置。
【請求項３】
前記放圧板が前記天井板に当接する部分に、難燃性ゴムを設けたことを特徴とする請求項１または請求項２に記載の金属閉鎖形スイッチギヤの放圧装置。
【請求項４】
前記箱体内の前記貫通ピンの外周にガイドを設けたことを特徴とする請求項１乃至請求項３のいずれか１項に記載の金属閉鎖形スイッチギヤの放圧装置。
【請求項５】
前記放圧板の中央部を凹部としたことを特徴とする請求項１乃至請求項４のいずれか１項に記載の金属閉鎖形スイッチギヤの放圧装置。
【発明の詳細な説明】
【技術分野】
【０００１】
本発明の実施形態は、箱体の天井部に設けられる金属閉鎖形スイッチギヤの放圧装置に関する。
【背景技術】
【０００２】
従来、金属閉鎖形スイッチギヤには、天井部に放圧板を設け、地絡などでアークが発生し、内部圧力が上昇したとき、放圧板を動作させ、高温、高圧ガスを放出するものが知られている（例えば、特許文献１参照。）。
【０００３】
この種の金属閉鎖形スイッチギヤを図６に示すが、鋼板からなる箱体１を構成する天井板２には、矩形状の開口部３が設けられている。開口部３には、これを塞ぐような大きさの矩形状で鋼板の放圧板４が設けられている。放圧板４の一辺には、回動自在のヒンジ５の一方端が固定され、他方端が天井板２に固定されている。箱体１には、真空遮断器のような収納機器６が収納されている。
【０００４】
このような構成において、収納機器６が地絡などを起こし、アークが発生して内部圧力が上昇すると、ヒンジ５を支点に点線で示すように放圧板４が回動し、開口部３を開放する。開放された開口部３からは、高温、高圧ガスが放出され、内部圧力を低下させ、箱体１の破損などを防ぐことができる。
【０００５】
しかしながら、放圧板４は、図示点線で示すように、約１８０度回動し、開口部３が開放されたままになる。図示しない上位機種でアークを遮断しても、可燃性の電線やプラスチックなど可燃物があった場合には、それが燃え続けて煙や粉塵などが開口部３から放出され、隣接盤や電気室などを汚損させる。このため、内部圧力の低下後には、開口部３を塞ぐものが望まれていた。
【先行技術文献】
【特許文献】
【０００６】
【特許文献１】特開２０１０−１８３８１８号公報
【発明の概要】
【発明が解決しようとする課題】
【０００７】
本発明が解決しようとする課題は、箱体１の内部圧力の低下後に開口部３を塞ぎ、アーク遮断後に発生し続ける煙や粉塵などが放出されることを防止する金属閉鎖形スイッチギヤの放圧装置を提供することにある。
【課題を解決するための手段】
【０００８】
上記課題を解決するために、実施形態の金属閉鎖形スイッチギヤの放圧装置は、箱体を構成する天井板と、前記天井板に設けられた開口部と、前記開口部を塞ぐように設けられた放圧板と、前記放圧板に固定されるとともに、前記天井板に設けられた貫通孔を移動自在に貫通する貫通ピンと、前記箱体内の前記貫通ピン端部に固定されたストッパーと、を備えたことを特徴とする。
【図面の簡単な説明】
【０００９】
【図１】本発明の実施例１に係る金属閉鎖形スイッチギヤの放圧装置の構成を示す断面図。
【図２】本発明の実施例１に係る金属閉鎖形スイッチギヤの放圧装置の動作を説明する図。
【図３】本発明の実施例２に係る金属閉鎖形スイッチギヤの放圧装置の構成を示す要部断面図。
【図４】本発明の実施例３に係る金属閉鎖形スイッチギヤの放圧装置の構成を示す要部断面図。
【図５】本発明の実施例４に係る金属閉鎖形スイッチギヤの放圧装置の構成を示す要部断面図。
【図６】従来の金属閉鎖形スイッチギヤの放圧装置の構成を示す断面図。
【発明を実施するための形態】
【００１０】
箱体の内部圧力の上昇、低下によって放圧板が移動自在となるようにするものである。以下、図面を参照して本発明の実施例を説明する。
【実施例１】
【００１１】
先ず、本発明の実施例１に係る金属閉鎖形スイッチギヤの放圧装置を図１、図２を参照して説明する。図１は、本発明の実施例１に係る金属閉鎖形スイッチギヤの放圧装置の構成を示す断面図、図２は、本発明の実施例１に係る金属閉鎖形スイッチギヤの放圧装置の動作を説明する図である。なお、従来と同様の構成部分は、同一符号を付した。
【００１２】
図１に示すように、鋼板からなる箱体１を構成する天井板２には、矩形状の開口部３が設けられている。開口部３には、これを塞ぐような大きさの矩形状で鋼板の放圧板４が設けられている。放圧板４の四隅には、図示下方向に金属製の貫通ピン１０がボルト１１でそれぞれ固定されている。貫通ピン１０は、天井板２に設けられた貫通孔１２を移動自在に貫通している。貫通ピン１０の箱体１内の端部には、ストッパー１３が固定されている。ストッパー１３の外径は、貫通孔１２の内径よりも大きい。箱体１内には、真空遮断器のような収納機器６が収納されている。
【００１３】
次に、内部圧力上昇時の動作について、図２（ａ）、（ｂ）を参照して説明する。
【００１４】
図２（ａ）に示すように、地絡などで内部圧力が上昇すると、天井板２に当接していた放圧板４が圧力に押されて図示上方向に移動し、開口部３から高温、高圧ガスを放出する。放圧板４は、ストッパー１３によって吹き飛ばされないようになっている。貫通ピン１０の長さで放圧板４の移動距離が左右されるが、高温、高圧ガスを開口部３から支障なく放出することのできる長さを有する。
【００１５】
放出後、内部圧力が低下すると、図２（ｂ）に示すように、放圧板４やボルト１１などの自重により、放圧板４が下降し、開口部３を塞ぐ。これにより、可燃物が存在していてアーク遮断後に煙や粉塵などが発生し続けても開口部３からの放出を防ぐことができる。また、開口部３を塞ぐことにより、燃焼の拡大を抑制することができる。なお、アーク事故は、数１００Ａ程度の地絡などを対象としており、想定外の短絡電流が流れて箱体１を含めた放圧板４などが溶損、破損するようなものは対象としていない。
【００１６】
上記実施例１の金属閉鎖形スイッチギヤの放圧装置によれば、放圧板４を、天井板２に設けた貫通孔１２を上下方向に移動自在に貫通する貫通ピン１０で固定しているので、圧力上昇時には開口部３を開放して高温、高圧ガスを外部に放出し、圧力低下時には開口部３を塞いで煙や粉塵の放出を防ぐことができる。そして、隣接盤や電気室などの汚損、異臭などを防ぐことができる。
【００１７】
上記実施例１では、放圧板４の四隅に貫通ピン１０を固定して説明したが、放圧板４の面積が大きい場合では、貫通ピン１０を辺の中間部にも設けて四本超過の複数としてもよい。貫通ピン１０の本数が増えれば、放圧板４の変形を防ぐことができる。
【実施例２】
【００１８】
次に、本発明の実施例２に係る金属閉鎖形スイッチギヤの放圧装置を図３を参照して説明する。図３は、本発明の実施例２に係る金属閉鎖形スイッチギヤの放圧装置の構成を示す要部断面図である。なお、この実施例２が実施例１と異なる点は、放圧板に難燃性ゴムを設けたことである。図３において、実施例１と同様の構成部分においては、同一符号を付し、その詳細な説明を省略する。
【００１９】
図３に示すように、放圧板４が天井板２に当接する部分には、シリコン樹脂やフッ素樹脂などからなる耐熱性に優れた難燃性ゴム１４を設けている。
【００２０】
上記実施例２の金属閉鎖形スイッチギヤの放圧装置によれば、実施例１による効果のほかに、内部圧力が低下して放圧板４が再度閉じたとき、開口部３の密閉度を増すことができる。
【実施例３】
【００２１】
次に、本発明の実施例３に係る金属閉鎖形スイッチギヤの放圧装置を図４を参照して説明する。図４は、本発明の実施例３に係る金属閉鎖形スイッチギヤの放圧装置の構成を示す要部断面図である。なお、この実施例３が実施例２と異なる点は、貫通ピンにガイドを設けたことである。図４において、実施例２と同様の構成部分においては、同一符号を付し、その詳細な説明を省略する。
【００２２】
図４に示すように、貫通ピン１０の外周には、フッ素樹脂、ポリイミド樹脂などからなる耐熱性、耐摩耗性に優れた筒状のガイド１５を設け、一方端開口部を天井板２に固定している。
【００２３】
上記実施例３の金属閉鎖形スイッチギヤの放圧装置によれば、実施例２による効果のほかに、ガイド１５の軸方向に沿って貫通ピン１０が移動するので、放圧板４の移動を速やかにすることができる。
【実施例４】
【００２４】
次に、本発明の実施例４に係る金属閉鎖形スイッチギヤの放圧装置を図５を参照して説明する。図５は、本発明の実施例４に係る金属閉鎖形スイッチギヤの放圧装置の構成を示す要部断面図である。なお、この実施例４が実施例３と異なる点は、放圧板の中央部に凹部を設けたことである。図５において、実施例３と同様の構成部分においては、同一符号を付し、その詳細な説明を省略する。
【００２５】
図５に示すように、放圧板４の中央部には、開口部３の内域に収まる大きさの凹部１６を設けている。
【００２６】
上記実施例４の金属閉鎖形スイッチギヤの放圧装置によれば、実施例３による効果のほかに、放圧板４の面積が大きくなり、圧力上昇時の移動が速やかになるとともに、箱体１外への高温、高圧ガスの流れをスムーズにすることができる。
【００２７】
以上述べたような実施形態によれば、内部圧力の上昇時に放圧板を動作させて開口部を開放し、内部圧力が低下するとこの放圧板で開口部を再度閉じ、煙や粉塵などが放出し続けることを抑制することができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１  箱体
２  天井板
３  開口部
４  放圧板
５  ヒンジ
６  収納機器
１０  貫通ピン
１１  ボルト
１２  貫通孔
１３  ストッパー
１４  難燃性ゴム
１５  ガイド
１６  凹部
【図１】
2015015833.tif 000003
【図２】
2015015833.tif 000004
【図３】
2015015833.tif 000005
【図４】
2015015833.tif 000006
【図５】
2015015833.tif 000007
【図６】
2015015833.tif 000008